(57)【要約】【課題】画像処理制御情報または撮影条件の編集作業を実行することができる画像データの生成装置を提供すること。【解決手段】ＣＰＵ１６１は、ユーザにより選択された画像データをメモリカードＭＣから選択するし、選択した画像データに関連付けられた画像処理制御情報を、液晶ディスプレイ１９上に表示する。ＣＰＵ１６１は画像処理制御情報の編集が終了すると、画像処理制御情報が変更されたか否かを判定し、画像処理制御情報が変更されたと判定した場合には、画像データに記述されている画像処理制御情報ＧＩを更新する。この結果、画像処理制御情報が更新される。【選択図】図２
2014039337.tif 000002
【特許請求の範囲】
【請求項１】
画像データを生成する画像データ生成装置であって、
撮影条件を設定する撮影条件設定手段と、
画像データを生成する画像データ生成手段と、
前記設定された撮影条件の少なくとも一部を用いて前記生成された画像データに対して画像処理を施す撮影時画像処理手段と、
前記画像処理が施された画像データと前記撮影条件とを関連付けて記憶する画像データ記憶手段と、
前記画像データ記憶手段から所望の画像データを選択する画像データ選択手段と、
前記選択された画像データに関連付けられた撮影条件を表示する撮影条件表示手段と、
前記表示された撮影条件を変更する撮影条件変更手段とを備える画像データ生成装置。
【請求項２】
請求項１に記載の画像データ生成装置はさらに、
前記変更された撮影条件と前記選択された画像データとを関連付けて出力する出力手段を備える画像データ生成装置。
【請求項３】
請求項２に記載の画像データ生成装置はさらに、
前記出力手段により関連付けて出力された、前記変更された撮影条件と前記選択された画像データとを記憶媒体に格納する格納手段を備える画像データ生成装置。
【請求項４】
請求項１ないし請求項３のいずれかに記載の画像データ生成装置において、
前記撮影条件は、撮影場面である画像データ生成装置。
【請求項５】
画像データを生成する画像データ生成装置であって、
撮影条件を設定する撮影条件設定手段と、
画像データを生成する画像データ生成手段と、
前記撮影条件に応じた画像処理時における前記画像データの処理条件を指定する画像処理制御情報と、前記画像データと、を関連付けて格納する画像データ記憶手段と、
前記画像データ記憶手段から所望の画像データを選択する画像データ選択手段と、
前記選択された画像データに関連付けられた画像処理制御情報を表示する画像処理制御情報表示手段と、
前記表示された画像処理制御情報を変更する画像処理制御情報変更手段とを備える画像データ生成装置。
【請求項６】
請求項５に記載の画像データ生成装置において、
前記画像処理制御情報は、撮影場面に応じた複数のパラメータ値の組み合わせである画像データ生成装置。
【請求項７】
請求項５に記載の画像データ生成装置はさらに、
複数の前記画像処理制御情報を記憶する画像処理制御情報を記憶する画像処理制御情報記憶手段を備え、
前記画像処理制御情報表示手段は、前記画像処理制御情報記憶手段から前記選択された画像データに関連付けられた画像処理制御情報を取得し、表示する画像データ生成装置。
【請求項８】
請求項５または請求項７に記載の画像データ生成装置はさらに、
前記画像データとその画像データに関連付けられた前記画像処理制御情報とを出力する画像データ出力手段を備える画像データ生成装置。
【請求項９】
請求項５ないし請求項８のいずれかに記載の画像データ生成装置において、
前記画像データ生成手段は、前記設定された撮影条件に応じて前記生成された画像データに対して撮影時画質調整を施す画像データ生成装置。
【請求項１０】
画像データの生成装置であって、
撮影条件を設定する撮影条件設定手段と、
画像データを生成する画像データ生成手段と、
前記撮影条件に応じた画像処理時における前記画像データの処理条件を指定する画像処理制御情報と、前記画像データと、を関連付けて格納する画像データ記憶手段と、
前記画像データ記憶手段から所望の画像データを選択する画像データ選択手段と、
前記選択された画像データに関連付けられた画像処理制御情報を用いて前記選択された画像データに対して画像処理を実行する画像処理手段と、
前記画像処理が施された画像データの画像を表示する画像表示手段と、
前記表示されている画像データに関連付けられた画像処理制御情報を変更する画像処理制御情報変更手段と、
前記変更された画像処理制御情報を用いて前記表示されている画像の表示を更新する画像表示更新手段とを備える画像データ生成装置。
【請求項１１】
請求項１０に記載の画像データ生成装置において、
前記画像処理制御情報は、撮影場面に応じた複数のパラメータ値の組み合わせである画像データ生成装置。
【請求項１２】
請求項１０に記載の画像データ生成装置において、
前記画像表示更新手段は、
前記変更された画像処理制御情報を用いて前記表示されている画像データに  対して更新画像処理を実行する更新画像処理手段と、
前記更新画像処理が施された画像データを用いて前記画像表示手段に表示さ  れている画像を更新する表示画像更新手段とを備える画像データ生成装置。
【請求項１３】
請求項１０または請求項１２に記載の画像データ生成装置はさらに、
複数の前記画像処理制御情報を記憶する画像処理制御情報を記憶する画像処理制御情報記憶手段を備え、
前記画像処理手段は、前記画像処理制御情報記憶手段から前記選択された画像データに関連付けられた画像処理制御情報を取得し、画像処理を実行する画像データ生成装置。
【請求項１４】
請求項１２または請求項１３に記載の画像データ生成装置はさらに、
前記更新画像処理が施された画像データを出力する更新画像データ出力手段を備える画像データ生成装置。
【請求項１５】
請求項１２ないし請求項１４のいずれかに記載の画像データ生成装置において、
前記画像データ生成手段は、前記設定された撮影条件に応じて前記生成された画像データに対して撮影時画質調整を施す画像データ生成装置。
【請求項１６】
画像データを生成する画像データ生成装置であって、
画像処理時における画像データの処理条件を指定する複数の画像処理制御情報を記憶する記憶手段と、
前記複数の画像処理制御情報の中から所望の画像処理制御情報を選択し、表示する画像処理制御情報表示手段と、
前記表示された画像処理制御情報を変更する画像処理制御情報変更手段と、
前記変更された画像処理制御情報を用いて前記選択された画像処理制御情報を更新する画像処理制御情報更新手段と、
画像データを生成する画像データ生成手段と、
前記撮影条件に応じて前記記憶手段から画像処理制御情報を取得する画像処理制御情報取得手段と、
前記取得された画像処理制御情報を前記生成された画像データに関連付けて出力する画像データ出力手段とを備える画像データ生成装置。
【請求項１７】
請求項１６に記載の画像データ生成装置において、
前記画像処理制御情報は、撮影場面に応じた複数のパラメータ値の組み合わせである画像データ生成装置。
【請求項１８】
画像データを生成する画像データ生成方法であって、
撮影条件を設定し、
前記設定した撮影条件の少なくとも一部を用いて画像処理を施しつつ画像データを生成し、
前記画像処理を施した画像データと前記撮影条件とを関連付けて記憶装置に格納し、
前記記憶装置から所望の画像データを選択し、
前記選択した画像データに関連付けられた撮影条件を表示し、
前記表示した撮影条件を変更する画像データ生成方法。
【請求項１９】
請求項１８に記載の画像データ生成方法はさらに、
前記変更した撮影条件と前記選択した画像データとを関連付けて出力する画像データ生成方法。
【請求項２０】
請求項１９に記載の画像データ生成方法はさらに、
出力した、前記変更した撮影条件と前記選択した画像データとを記憶媒体に格納する画像データ生成方法。
【請求項２１】
請求項１８ないし請求項２０のいずれかに記載の画像データ生成方法において、
前記撮影条件は、撮影場面である画像データ生成方法。
【請求項２２】
画像データを生成する画像データ生成方法であって、
撮影条件を設定し、
画像データを生成し、
前記撮影条件に応じた画像処理時における前記画像データの処理条件を指定する画像処理制御情報と、前記画像データと、を関連付けて記憶装置に格納し、
前記記憶装置から所望の画像データを選択し、
前記選択した画像データに関連付けられた画像処理制御情報を表示し、
前記表示した画像処理制御情報を変更する画像データ生成方法。
【請求項２３】
請求項２２に記載の画像データ生成方法はさらに、
前記画像データとその画像データに関連付けられた前記変更された画像処理制御情報とを出力する画像データ生成方法。
【請求項２４】
画像データの生成方法であって、
撮影条件を設定し、
画像データを生成し、
前記撮影条件に応じた画像処理時における前記画像データの処理条件を指定する画像処理制御情報と、前記画像データと、を関連付けて記憶装置に格納し、
前記記憶装置から所望の画像データを選択し、
前記選択し画像データに関連付けられた画像処理制御情報を用いて前記選択された画像データに対して画像処理を実行し、
前記画像処理を施した画像データの画像を表示し、
前記表示されている画像データに関連付けられた画像処理制御情報を変更し、
前記変更した画像処理制御情報を用いて前記表示されている画像の表示を更新する画像データ生成方法。
【請求項２５】
請求項２４に記載の画像データ生成方法において、
前記画像表示の更新は、
前記変更した画像処理制御情報を用いて前記表示されている画像データに対  して更新画像処理を実行し、
前記更新画像処理を施した画像データを用いて前記画像表示手段に表示さ  れている画像を更新することにより実行する画像データ生成方法。
【請求項２６】
請求項２５に記載の画像データ生成装置はさらに、
前記更新画像処理が施された画像データを出力する画像データ生成方法。
【請求項２７】
画像データを生成する方法であって、
記憶装置に格納されている、画像処理時における画像データの処理条件を指定する複数の画像処理制御情報の中から所望の画像処理制御情報を選択し、
前記選択した画像処理制御情報を表示し、
前記表示した画像処理制御情報を変更し、
前記変更した画像処理制御情報を用いて前記選択した画像処理制御情報を更新し、
画像データを生成し、
前記撮影条件に応じて前記記憶装置から画像処理制御情報を取得し、
前記取得した画像処理制御情報を前記生成した画像データに関連付けて出力する画像データ生成方法。
【発明の詳細な説明】
【技術分野】
【０００１】
本発明は、画像データに関連付けられた情報を取り扱う技術に関する。
【背景技術】
【０００２】
画像処理装置における画像処理条件を指定する画像処理制御情報を画像データと関連付けて取り扱う技術、撮影時の撮影条件（撮影時情報）を画像データのヘッダに記述する技術が提案されている。画像データに対して画像処理制御情報を関連付ける技術では、画像処理制御情報を利用することにより、例えば、入力装置と出力装置間の色再現特性の相違を解消して、いずれの装置においても同一の画像を同一の色で再現することができる。さらに、所望の画像処理が施された画像データを容易に得ることができる。
【０００３】
また、画像データのヘッダに撮影条件（撮影時情報）を記述する技術では、画像処理装置は記述された撮影条件を利用して撮影環境に則した画像処理を画像データに対して施すことが可能となる（特許文献１参照）。
【先行技術文献】
【特許文献】
【０００４】
【特許文献１】特開２００３−００９０７５号公報
【発明の概要】
【発明が解決しようとする課題】
【０００５】
しかしながら、これまで画像処理制御情報および撮影条件といった情報は、設定された条件に応じて、ディジタルスチルカメラ等の画像データの生成装置によって自動的に付与されていた。したがって、例えば、撮影シーン等を誤って設定し、撮影した場合であっても、ユーザは画像処理制御情報および撮影条件といった情報を修正することができなかった。この結果、画像処理を実行するにあたりこれら情報を利用する画像処理装置では、却って不適切な画像処理が実行されてしまうおそれがあった。
【０００６】
また、近年ではディジタルスチルカメラと直接接続可能なタイプのプリンタが実用化されつつあり、かかる場合には、ディジタルスチルカメラにおいて画像処理制御情報等の情報を編集できれば便利である。
【０００７】
本発明は、上記問題点並びに要求を満たすためになされたものであり、画像処理制御情報または撮影条件の編集作業を実行することができる画像データの生成装置を提供することを目的とする。
【課題を解決するための手段】
【０００８】
上記課題を解決するために本発明の第１の態様は、画像データを生成する画像データ生成装置を提供する。本発明の第１の態様に係る画像データ生成装置は、撮影条件を設定する撮影条件設定手段と、画像データを生成する画像データ生成手段と、前記設定された撮影条件の少なくとも一部を用いて前記生成された画像データに対して画像処理を施す撮影時画像処理手段と、前記画像処理が施された画像データと前記撮影条件とを関連付けて記憶する画像データ記憶手段と、前記画像データ記憶手段から所望の画像データを選択する画像データ選択手段と、前記選択された画像データに関連付けられた撮影条件を表示する撮影条件表示手段と、前記表示された撮影条件を変更する撮影条件変更手段とを備えることを特徴とする。
【０００９】
本発明の第１の態様に係る画像データ生成装置によれば、画像データ記憶手段から選択された所望の画像データに関連付けられた撮影条件を変更する撮影条件変更手段を備えるので、画像データの生成後に撮影条件の編集作業を実行することができる。
【００１０】
本発明の第１の態様に係る画像データ生成装置はさらに、前記変更された撮影条件と前記選択された画像データとを関連付けて出力する出力手段を備えても良い。かかる場合には、画像処理装置に対して、直接、画像データと更新された撮影条件を関連付けて供給することができる。また、画像データに対して更新された撮影条件が関連付けられているので、更新された撮影条件を利用した画像データに対する種々の処理が可能となる。
【００１１】
本発明の第１の態様に係る画像データ生成装置はさらに、前記出力手段により関連付けて出力された、前記変更された撮影条件と前記選択された画像データとを記憶媒体に格納する格納手段を備えても良い。かかる場合には、画像データと更新された撮影条件を関連付けて記憶媒体に保存することができると共に、画像処理装置に対して記憶媒体を介して画像データと更新された撮影条件とを供給することができる。
【００１２】
本発明の第１の態様に係る画像データ生成装置において、前記撮影条件は、撮影場面であっても良い。かかる場合には、撮影場面に適した画像処理が可能になると共に、現実の撮影場面と異なる撮影場面が設定されてしまった場合であっても、事後的に適切な撮影場面へと変更することができるので画像データに対する画像処理を適切なものとすることができる。
【００１３】
本発明の第２の態様は、画像データを生成する画像データ生成装置を提供する。本発明の第２の態様に係る画像データ生成装置は、撮影条件を設定する撮影条件設定手段と、画像データを生成する画像データ生成手段と、前記撮影条件に応じた画像処理時における前記画像データの処理条件を指定する画像処理制御情報と、前記画像データと、を関連付けて格納する画像データ記憶手段と、前記画像データ記憶手段から所望の画像データを選択する画像データ選択手段と、前記選択された画像データに関連付けられた画像処理制御情報を表示する画像処理制御情報表示手段と、前記表示された画像処理制御情報を変更する画像処理制御情報変更手段とを備えることを特徴とする。
【００１４】
本発明の第２の態様に係る画像データ生成装置によれば、画像データ記憶手段から選択された所望の画像データに関連付けられた画像処理制御情報を変更する画像処理制御情報変更手段を備えるので、画像データの生成後に画像処理制御情報の編集作業を実行することができる。
【００１５】
本発明の第２の態様に係る画像データ生成装置において、前記画像処理制御情報は、撮影場面に応じた複数のパラメータ値の組み合わせであっても良い。かかる場合には、複数のパラメータ値の組み合わせによって撮影場面に応じた画像処理の条件を指定することができる。また、現実の撮影場面にそぐわない複数のパラメータ値の組み合わせが設定されてしまった場合であっても、事後的に適切な複数のパラメータ値の組み合わせへと変更することができる。この結果、画像データに対する、撮影場面にそぐわない画像処理を防ぎ、撮影後に現実の撮影場面に応じた画像処理を指定することができる。
【００１６】
本発明の第２の態様に係る画像データ生成装置はさらに、複数の前記画像処理制御情報を記憶する画像処理制御情報を記憶する画像処理制御情報記憶手段を備え、前記画像処理制御情報表示手段は、前記画像処理制御情報記憶手段から前記選択された画像データに関連付けられた画像処理制御情報を取得し、表示しても良い。かかる場合には、画像データを選択することによって画像データに関連付けられている画像処理制御情報を取得、表示することができる。
【００１７】
本発明の第２の態様に係る画像データ生成装置はさらに、前記画像データとその画像データに関連付けられた前記画像処理制御情報とを出力する画像データ出力手段を備えても良い。かかる場合には、画像処理装置に対して、直接、画像データと更新された画像処理制御情報を関連付けて供給することができる。また、画像データに対して更新された画像処理制御情報が関連付けられているので、更新された画像処理制御情報によって画像データに対する画像処理の条件を指定することが可能となる。
【００１８】
本発明の第２の態様に係る画像データ生成装置において、前記画像データ生成手段は、前記設定された撮影条件に応じて前記生成された画像データに対して撮影時画質調整を施しても良い。かかる場合には、撮影条件を反映した画像データを生成することができる。
【００１９】
本発明の第３の態様は、画像データの生成装置を提供する。本発明の第３の態様に係る画像データの生成装置は、撮影条件を設定する撮影条件設定手段と、画像データを生成する画像データ生成手段と、前記撮影条件に応じた画像処理時における前記画像データの処理条件を指定する画像処理制御情報と、前記画像データと、を関連付けて格納する画像データ記憶手段と、前記画像データ記憶手段から所望の画像データを選択する画像データ選択手段と、前記選択された画像データに関連付けられた画像処理制御情報を用いて前記選択された画像データに対して画像処理を実行する画像処理手段と、前記画像処理が施された画像データの画像を表示する画像表示手段と、前記表示されている画像データに関連付けられた画像処理制御情報を変更する画像処理制御情報変更手段と、前記変更された画像処理制御情報を用いて前記表示されている画像の表示を更新する画像表示更新手段とを備えることを特徴とする。
【００２０】
本発明の第３の態様に係る画像データ生成装置によれば、変更された画像処理制御情報を用いて表示されている画像の表示を更新することができるので、画像データの対して変更した画像処理制御情報を適用した結果を確認しつつ画像処理制御情報を編集することができる。したがって、画像処理制御情報の編集をより適切なものとすることができる。
【００２１】
本発明の第３の態様に係る画像データ生成装置においてにおいて、前記画像処理制御情報は、撮影場面に応じた複数のパラメータ値の組み合わせであっても良い。かかる場合には、複数のパラメータ値の組み合わせによって撮影場面に応じた画像処理の条件を指定することができる。また、現実の撮影場面にそぐわない複数のパラメータ値の組み合わせが設定されてしまった場合であっても、事後的に適切な複数のパラメータ値の組み合わせへと変更することができる。この結果、画像データに対する、撮影場面にそぐわない画像処理を防ぎ、撮影後に現実の撮影場面に応じた画像処理を指定することができる。
【００２２】
本発明の第３の態様に係る画像データ生成装置において、
前記画像表示更新手段は、
前記変更された画像処理制御情報を用いて前記表示されている画像データに  対して更新画像処理を実行する更新画像処理手段と、
前記更新画像処理が施された画像データを用いて前記画像表示手段に表示さ  れている画像を更新する表示画像更新手段とを備えても良い。かかる場合には、変更された画像処理制御情報を用いて画像データに対して画像処理を施し、画像処理が施された画像データを用いて表示画像を更新することができるので、画像処理制御情報の変更に伴う実際の画像処理結果を確認しつつ画像処理制御情報の編集を実行することができる。
【００２３】
本発明の第３の態様に係る画像データ生成装置はさらに、複数の前記画像処理制御情報を記憶する画像処理制御情報を記憶する画像処理制御情報記憶手段を備え、前記画像処理手段は、前記画像処理制御情報記憶手段から前記選択された画像データに関連付けられた画像処理制御情報を取得し、画像処理を実行しても良い。かかる場合には、画像データを選択することによって画像データに関連付けられている画像処理制御情報を取得、表示することができる。
【００２４】
本発明の第３の態様に係る画像データ生成装置はさらに、前記更新画像処理が施された画像データを出力する更新画像データ出力手段を備えても良い。かかる場合には、画像処理装置に対して、直接、画像データと更新された画像処理制御情報を関連付けて供給することができる。また、画像データに対して更新された画像処理制御情報が関連付けられているので、更新された画像処理制御情報によって画像データに対する画像処理の条件を指定することが可能となる。
【００２５】
本発明の第３の態様に係る画像データ生成装置において、前記画像データ生成手段は、前記設定された撮影条件に応じて前記生成された画像データに対して撮影時画質調整を施しても良い。かかる場合には、撮影条件を反映した画像データを生成することができる。
【００２６】
本発明の第４の態様は、画像データを生成する画像データ生成装置を提供する。本発明の第４の態様に係る画像データ生成装置は、画像処理時における画像データの処理条件を指定する複数の画像処理制御情報を記憶する記憶手段と、前記複数の画像処理制御情報の中から所望の画像処理制御情報を選択し、表示する画像処理制御情報表示手段と、前記表示された画像処理制御情報を変更する画像処理制御情報変更手段と、前記変更された画像処理制御情報を用いて前記選択された画像処理制御情報を更新する画像処理制御情報更新手段と、画像データを生成する画像データ生成手段と、前記撮影条件に応じて前記記憶手段から画像処理制御情報を取得する画像処理制御情報取得手段と、前記取得された画像処理制御情報を前記生成された画像データに関連付けて出力する画像データ出力手段とを備えることを特徴とする。
【００２７】
本発明の第４の態様に係る画像データ生成装置によれば、記憶手段に格納されている複数の画像処理制御情報の中から所望の画像処理制御情報を選択し、表示し、表示された画像処理制御情報を変更し、変更された画像処理制御情報を用いて選択された画像処理制御情報を更新することができるので、画像データとは独立して画像処理制御情報を更新することができる。したがって、画像処理制御情報を予め所望の内容へと変更しておくことができる。
【００２８】
本発明の第４の態様に係る画像データ生成装置において、前記画像処理制御情報は、撮影場面に応じた複数のパラメータ値の組み合わせであっても良い。
【００２９】
本発明の第５の態様は、画像データを生成する画像データ生成方法を提供する。本発明の第５の態様に係る画像データ生成方法は、撮影条件を設定し、前記設定した撮影条件の少なくとも一部を用いて画像処理を施しつつ画像データを生成し、前記画像処理を施した画像データと前記撮影条件とを関連付けて記憶装置に格納し、前記記憶装置から所望の画像データを選択し、前記選択した画像データに関連付けられた撮影条件を表示し、前記表示した撮影条件を変更することを特徴とする。
【００３０】
本発明の第５の態様に係る画像データ生成方法によれば本発明の第１の態様に係る画像データ生成装置と同様の作用効果を得ることができる。また、本発明の第５の態様に係る画像データ生成方法は、本発明の第１の態様に係る画像データ生成装置と同様にしてい種々の態様にて実現され得る。
【００３１】
本発明の第６の態様は、画像データを生成する画像データ生成方法を提供する。本発明の第６の態様に係る画像データ生成方法は、撮影条件を設定し、画像データを生成し、前記撮影条件に応じた画像処理時における前記画像データの処理条件を指定する画像処理制御情報と、前記画像データと、を関連付けて記憶装置に格納し、前記記憶装置から所望の画像データを選択し、前記選択した画像データに関連付けられた画像処理制御情報を表示し、前記表示した画像処理制御情報を変更することを特徴とする。
【００３２】
本発明の第６の態様に係る画像データ生成方法によれば本発明の第２の態様に係る画像データ生成装置と同様の作用効果を得ることができる。また、本発明の第６の態様に係る画像データ生成方法は、本発明の第２の態様に係る画像データ生成装置と同様にしてい種々の態様にて実現され得る。
【００３３】
本発明の第７の態様は、画像データの生成方法を提供する。本発明の第７の態様に係る画像データ生成方法は、撮影条件を設定し、画像データを生成し、前記撮影条件に応じた画像処理時における前記画像データの処理条件を指定する画像処理制御情報と、前記画像データと、を関連付けて記憶装置に格納し、前記記憶装置から所望の画像データを選択し、前記選択し画像データに関連付けられた画像処理制御情報を用いて前記選択された画像データに対して画像処理を実行し、前記画像処理を施した画像データの画像を表示し、前記表示されている画像データに関連付けられた画像処理制御情報を変更し、前記変更した画像処理制御情報を用いて前記表示されている画像の表示を更新することを特徴とする。
【００３４】
本発明の第７の態様に係る画像データ生成方法によれば本発明の第３の態様に係る画像データ生成装置と同様の作用効果を得ることができる。また、本発明の第７の態様に係る画像データ生成方法は、本発明の第３の態様に係る画像データ生成装置と同様にしてい種々の態様にて実現され得る。
【００３５】
本発明の第８の態様に係る画像データを生成する方法は、記憶装置に格納されている、画像処理時における画像データの処理条件を指定する複数の画像処理制御情報の中から所望の画像処理制御情報を選択し、前記選択した画像処理制御情報を表示し、前記表示した画像処理制御情報を変更し、前記変更した画像処理制御情報を用いて前記選択した画像処理制御情報を更新し、画像データを生成し、前記撮影条件に応じて前記記憶装置から画像処理制御情報を取得し、前記取得した画像処理制御情報を前記生成した画像データに関連付けて出力することを特徴とする。
【００３６】
本発明の第８の態様に係る画像データ生成方法によれば本発明の第４の態様に係る画像データ生成装置と同様の作用効果を得ることができる。また、本発明の第８の態様に係る画像データ生成方法は、本発明の第４の態様に係る画像データ生成装置と同様にしてい種々の態様にて実現され得る。
【００３７】
なお、本発明の第５ないし第８の態様に係る画像データ生成方法は、画像データ生成プログラム、画像データ生成プログラムを格納した記録媒体としても実現され得る。
【図面の簡単な説明】
【００３８】
【図１】第１の実施例に係る画像データ生成装置を適用可能な画像処理システムの一例を示す説明図である。
【図２】第１の実施例に係る画像データ生成装置である、ディジタルスチルカメラの概略構成を示すブロック図である。
【図３】第１の実施例に用いられ得る画像データのファイル構成を模式的に示す説明図である。
【図４】第１の実施例に係るディジタルスチルカメラ１０において実行される画像データ生成処理の処理ルーチンを示すフローチャートである。
【図５】第１の実施例における画像処理制御情報ＧＩの編集処理ルーチンを示すフローチャートである。
【図６】第１の実施例に係るディジタルスチルカメラ１０における画像処理制御情報ＧＩの編集イメージを示す説明図である。
【図７】第１の実施例における画像処理制御情報ＧＩの編集時に表示される画像処理制御情報ＧＩの他の表示イメージを示す説明図である。
【図８】第２の実施例における画像処理制御情報ＧＩの編集処理ルーチンを示すフローチャートである。
【図９】第２の実施例に係るディジタルスチルカメラ１０における画像処理制御情報ＧＩの編集イメージを示す説明図である。
【図１０】第３の実施例における撮影条件の編集処理ルーチンを示すフローチャートである。
【図１１】第３の実施例に用いられ得る画像データのファイル構成を模式的に示す説明図である。
【図１２】第３の実施例における撮影条件の編集時に表示される撮影条件の表示イメージを示す説明図である。
【図１３】第４の実施例における画像処理制御情報の編集処理の処理ルーチンを示すフローチャートである。
【発明を実施するための形態】
【００３９】
以下、本発明に係る画像データ生成装置および画像データ生成方法について図面を参照しつつ、いくつかの実施例に基づいて説明する。
【００４０】
・第１の実施例：
本実施例に係る画像データ生成装置を適用可能な画像処理システムの構成について図１および図２を参照して説明する。図１は第１の実施例に係る画像データ生成装置を適用可能な画像処理システムの一例を示す説明図である。図２は第１の実施例に係る画像データ生成装置である、ディジタルスチルカメラの概略構成を示すブロック図である。
【００４１】
画像処理システム１０は、画像データを生成する画像データ生成装置としてのディジタルスチルカメラ１０、ディジタルスチルカメラ１０にて生成された画像データに対して画像処理を実行可能な画像処理装置としてのパーソナルコンピュータＰＣ、画像データを用いて画像を出力する出力装置としてのカラープリンタ２０を備えている。出力装置としては、プリンタ２０の他に、ＣＲＴディスプレイ、ＬＣＤディスプレイ等のモニタ３０、プロジェクタ等が用いられ得るが、以下の説明では、カラープリンタ２０を出力装置として用いるものとする。
【００４２】
ディジタルスチルカメラ１０は、光学回路１１、光学回路１１を制御してディジタル画像データを取得するための画像取得回路１２、取得した画像データに対して撮影時における撮影条件を反映した画質補正を実行する画質補正回路１３、画質補正が施された画像データを圧縮するための圧縮回路１４、圧縮された画像データを格納するための記憶装置としてのメモリカードＭＣ、メモリカードＭＣに格納された画像データに対して種々の画像処理を実行するための画像処理回路１５、各回路を制御する制御回路１６を備えている。各回路１１〜１６は、例えば、バス１７を介して接続されている。
【００４３】
光学回路１１は、図示しない撮像レンズと撮像レンズを駆動するレンズ駆動部等を備え、制御回路１５からの制御信号に従い撮像レンズの焦点距離を制御する。
【００４４】
画像取得回路１２は、ＣＣＤ等の光電変換素子、アナログ／ディジタル変換器等を備えている。画像取得回路１２は、光学回路１１を介して入力された撮像画像（光の情報）を光電変換素子に結像させることにより電気的な画像データに変換し、さらにアナログ／ディジタル変換器によってディジタルデータ化する。一般的に、光電変換素子には、カラー画像データを得るためにカラーフィルタ、例えばＲＧＢフィルタ、が備えられており、一次データとしてＲＧＢ画像データが得られる。得られたＲＧＢ画像データは画質補正回路１３に送られる。
【００４５】
画質補正回路１３は、撮影時に設定された撮影条件を反映してＲＧＢ画像データに対して補正処理、色変換処理を実行する。撮影条件を反映した補正処理には、例えば、露出補正、ホワイトバランス補正等が含まれる。色変換処理では、既知の変換マトリクスを用いてＲＧＢデータをＹＣｂＣｒデータに変換する処理が実行される。ＹＣｂＣｒデータに変換された画像データは、圧縮回路１４に送られ、例えば、ＪＰＥＧフォーマットに従って、画像データの圧縮、サムネイル画像データの生成等が実行され、ＪＰＥＧフォーマットの画像データが得られる。こうして得られた画像データはメモリカードＭＣに格納される。
【００４６】
画像処理回路１５は、メモリカードＭＣに格納されている画像データに対して任意の画像処理（レタッチ処理）を実行するための回路である。画像処理回路１５は後述する画像処理制御情報ＧＩに従って画像データに対する画像処理を実行する。なお、説明の都合上、この場所で説明するが、画像処理回路１５は第２の実施例において用いられる。
【００４７】
制御回路１６は、種々の演算処理を実行する中央処理回路（ＣＰＵ）１６１、各種プログラム、画像処理制御情報ＧＩを記録したリードオンリメモリ（ＲＯＭ）１６２、各種データを一時的に記録するランダムアクセスメモリ（ＲＡＭ）１６３等を備えている。制御回路１６は、圧縮回路１４にてＪＰＥＧ画像データを生成する際に、画像データＧＤの撮影条件に関する情報である撮影時情報ＳＩ、画像処理制御情報ＧＩを画像データのヘッダに記述する。すなわち、撮影時情報ＳＩ、画像処理制御情報ＧＩは、撮影時に画像データのヘッダに自動的に記述され、これら撮影時情報ＳＩおよび画像処理制御情報ＧＩの少なくとも一方が記述された画像データＧＤがメモリカードＭＣに格納される。撮影時情報ＳＩとしては、例えば、ユーザによって選択された撮影条件としての撮影シーン、露光補正量、光源等の撮影条件が記述される。また、画像処理制御情報ＧＩとしては、例えば、ユーザによって設定された撮影モードに適した画像処理条件、撮影時の撮影条件に適した画像処理条件、出力装置に適した画像処理条件等が記述される。
【００４８】
ディジタルスチルカメラ１０は、この他に、撮影時情報ＳＩ（撮影シーン（撮影モード）、露出補正量（露出補正値）、光源等）、画像処理制御情報ＧＩを設定するための選択・決定ボタン１８、撮影画像をプレビューしたり、選択・決定ボタン１８を用いて撮影条件、画像処理制御情報を設定するための液晶ディスプレイ１９を備えている。なお、ディジタルスチルカメラ１２における画像データの保存形式としては、ＪＰＥＧ形式の他にＲＡＷ形式、ＴＩＦＦ形式、ＧＩＦ形式、ＢＭＰ形式等の保存形式が用いられ得る。
【００４９】
ディジタルスチルカメラ１０において生成された画像データＧＤは、例えば、ケーブルＣＶ、コンピュータＰＣを介して、あるいは、ケーブルＣＶを介してカラープリンタ２０に送出される。あるいは、ディジタルスチルカメラ１０にて画像データＧＤが格納されたメモリカードＭＣが、メモリカード・スロットに装着されたコンピュータＰＣを介して、あるいは、メモリカードＭＣをプリンタ２０に対して直接、接続することによって画像ファイルがカラープリンタ２０に送出される。
【００５０】
図１に示すカラープリンタ２０は、カラー画像の出力が可能なプリンタであり、例えば、シアン（Ｃ）、マゼンタ（Ｍ）、イエロー（Ｙ）、ブラック（Ｋ）の４色の色インクを印刷媒体上に噴射してドットパターンを形成することによって画像を形成するインクジェット方式のプリンタである。あるいは、カラートナーを印刷媒体上に転写・定着させて画像を形成する電子写真方式のプリンタである。色インクには、上記４色に加えて、ライトシアン（薄いシアン、ＬＣ）、ライトマゼンタ（薄いマゼンタ、ＬＭ）、ダークイエロ（暗いイエロ、ＤＹ）を用いても良い。
【００５１】
本実施例に係る画像データＧＤは、例えば、電子情報技術産業協会（ＪＥＩＴＡ）によってディジタルスチルカメラ用画像ファイルフォーマットの規格として提唱されているＥｘｉｆフォーマットに従うファイル構造（Ｅｘｉｆファイル）、C-Cube Microsystems社, Xing Technology社, Digital Origin(Radius)社の３社によって策定された、ＪＰＥＧデータファイルの互換性を目的とした規格であるＪＦＩＦフォーマットに従うファイル構造（JFIFファイル）、画像データに関するパラメータをタグ形式にて指定するＴＩＦＦフォーマットに従うファイル構造（TIFFファイル）を備えることができる。Ｅｘｉｆファイルは、格納する画像データの種類によって、非可逆圧縮タイプのＪＰＥＧ画像データを格納するJPEG-Exifファイル、可逆圧縮タイプのＴＩＦＦ画像データを格納するTIFF-Exifファイルに区別することができる。
【００５２】
図３を参照して本実施例にて用いられ得るＪＰＥＧデータファイルの概略構成について説明する。図３は第１の実施例に用いられ得る画像データのファイル構成を模式的に示す説明図である。なお、本実施例中におけるファイルの構造、データの構造、格納領域といった用語は、ファイルまたはデータ等が記憶装置内に格納された状態におけるファイルまたはデータのイメージを意味するものである。
【００５３】
画像データＧＤは、ＪＰＥＧ画像データ、ＪＰＥＧ画像データに対する付属情報を格納するアプリケーション・マーカセグメントＡＰＰを備えている。アプリケーション・マーカセグメントＡＰＰ（ＩＦＤ）では、各情報を特定するためにタグが用いられており、各情報はタグ名によって呼ばれることがある。図３に示すアプリケーション・マーカセグメントＡＰＰには、画像処理制御情報ＧＩを格納するタグ（領域）、サムネイル画像データが含まれている。
【００５４】
画像処理制御情報ＧＩには、既述の通り、パーソナルコンピュータＰＣ、カラープリンタ２０等において画像処理に際して用いられる画質に関するパラメータの値が記述されている。画質に関するパラメータとしては、例えば、ＹＣｂＣｒ→ＲＧＢ色変換マトリクス値、ディジタルスチルカメラ１０のガンマ補正値、コントラスト、彩度、シャープネス、明度、カラーバランス等が含まれる。また、画像処理制御情報ＧＩには、撮影時に選択された撮影モードに対応する画像処理条件を指定する複数のパラメータセットからなる情報が含まれている。この複数のパラメータセットは、例えば、コントラスト、彩度等の複数の画質に関連するパラメータによって構成され、各画質に関するパラメータの値は撮影モードによってそれぞれ異なる値を取る。各撮影モードに対する画像処理条件の指定は、例えば、各撮影モードに対応する画像処理条件に対して予め番号を割り振っておくことにより、その番号によって指定される。
【００５５】
図４を参照して本実施例に係るディジタルスチルカメラ１０において実行される画像データの生成処理について説明する。図４は第１の実施例に係るディジタルスチルカメラ１０において実行される画像データ生成処理の処理ルーチンを示すフローチャートである。
【００５６】
本実施例は制御回路１６（ＣＰＵ１６１）によって実行される。撮影者によって、露出、撮影モード等が設定されシャッターが切られると、ＣＰＵ１６１は、光学回路１１を介して画像取得回路１２の光電変換素子上に撮像画像が結像され、アナログ／ディジタル変換器を経てディジタル画像データを生成する（ステップＳ１００）。
【００５７】
ＣＰＵ１６１は、画質補正回路１３を介して、撮影時に設定された撮影条件を反映してＲＧＢ画像データに対して撮影時画質調整を実行する（ステップＳ１１０）。このとき実行される撮影時画質調整では、例えば、画質補正回路１３は、設定された露出量に応じてトーンカーブ（γカーブ）を調整し、調整したトーンカーブを画像データに適用して画像データの明度を調整する。また、画質補正回路１３は、設定された光源に応じて画像データに対するカラーバランスの調整処理を実行して画像データのホワイトバランスを補正する。
【００５８】
ＣＰＵ１６１は、画像データに対する補正処理を終えると、画質補正回路１３を介して、既知の変換マトリクスを用いてＲＧＢデータをＹＣｂＣｒデータに変換する。次に、ＣＰＵ１６１は、圧縮回路１４を介して、ＹＣｂＣｒデータに変換された画像データを、ＪＰＥＧフォーマットに従って圧縮し、ＪＰＥＧフォーマットの画像データを得る（ステップＳ１２０）。
【００５９】
ＣＰＵ１６１は、撮影条件に応じてＲＯＭ１６２から画像処理制御情報ＧＩを取得する（ステップＳ１３０）。より具体的には、撮影条件として設定された露出量、シャッタースピード、ホワイトバランス（光源）等に基づいて、画像処理実行時における画像処理条件としてのパラメータを取得する。また、夜景、夕景、人物といった特定の撮影シーンに適した画像処理条件を規定する撮影モードが選択されている場合には、選択された撮影モードに対応する数字が画像処理制御情報ＧＩとして取得される。
【００６０】
ＣＰＵ１６１は、取得した画像処理制御情報ＧＩをＪＰＥＧフォーマットの画像データのヘッダ部（アプリケーション・マーカセグメントＡＰＰ）に記述し、メモリカードＭＣに画像データＧＤを格納して本処理ルーチンを終了する。すなわち、画像処理制御情報ＧＩと画像データＧＤとを関連付けてメモリカードＭＣに格納する。
【００６１】
図５〜図７を参照して、第１の実施例における画像処理制御情報ＧＩの編集処理について説明する。図５は第１の実施例における画像処理制御情報ＧＩの編集処理ルーチンを示すフローチャートである。図６は第１の実施例に係るディジタルスチルカメラ１０における画像処理制御情報ＧＩの編集イメージを示す説明図である。図７は第１の実施例における画像処理制御情報ＧＩの編集時に表示される画像処理制御情報ＧＩの他の表示イメージを示す説明図である。
【００６２】
ユーザの指示に従い、ＣＰＵ１６１は、液晶ディスプレイ１９上に画像データＧＤのファイル名（データ名）、あるいは、画像データＧＤのプレビュー画像を表示させる。ユーザが選択・決定ボタン１８を介して画像処理制御情報ＧＩの編集を所望する画像データＧＤを選択すると、ＣＰＵ１６１は、ユーザにより選択された画像データをメモリカードＭＣから選択する（ステップＳ２００）。
【００６３】
ＣＰＵ１６１は、選択した画像データに関連付けられた画像処理制御情報ＧＩを、図６に示すようにして液晶ディスプレイ１９上に表示する（ステップＳ２１０）。図６では、画像処理制御情報ＧＩとして撮影モードが表示されており、現在設定されている撮影モードは「夜景」である。例えば、前日に撮影モードが「夜景」に設定され、撮影モードが「標準」に戻されることなく翌日昼間に撮影が行われることがある。従来であれば、撮影後、撮影モードが適切でないことにユーザが気付いたとしても、ユーザは撮影モードを編集（変更）することはできなかった。この結果、本来、「標準」の撮影モードに対応する画像処理が行われなければならないところ、「夜景」の撮影モードに対応する画像処理がパーソナルコンピュータＰＣ、プリンタ２０等で行われてしまっていた。
【００６４】
第１の実施例に係るディジタルスチルカメラ１０によれば、撮影後、撮影モードが適切でないことにユーザが気付いた場合には、ユーザは撮影モードを編集（変更）することが可能となり、この結果、パーソナルコンピュータＰＣ、プリンタ２０等における画像処理の条件を適切に指定することができる。画像処理制御情報ＧＩは、画像データに対する画像処理条件を指定する情報であるから、画像処理が実行されるまで画像データＧＤはオリジナルのままである。したがって、誤って設定された撮影モードを適切な撮影モードに変更することができれば、パーソナルコンピュータＰＣ、プリンタ２０等における画像処理を適切なものとすることができる。
【００６５】
画像処理制御情報ＧＩは、図６における撮影モードに代えて、図７に示す内容が液晶ディスプレイ１９上に表示されても良い。
【００６６】
ＣＰＵ１６１は画像処理制御情報ＧＩの編集が終了するまて待機し（ステップＳ２２０：Ｎｏ）、画像処理制御情報ＧＩの編集が終了すると（ステップＳ２２０：Ｙｅｓ）、画像処理制御情報ＧＩが変更されたか否かを判定する（ステップＳ２３０）。ＣＰＵ１６１は、選択・決定ボタン１８を介してユーザから編集終了指示が入力されると画像処理制御情報ＧＩの編集は終了したと判定する。
【００６７】
ＣＰＵ１６１は、画像処理制御情報ＧＩが変更されていないと判定した場合には（ステップＳ２３０：Ｎｏ）、本処理ルーチンを終了する。ＣＰＵ１６１は、画像処理制御情報ＧＩが変更されたと判定した場合には（ステップＳ２３０：Ｙｅｓ）、画像データＧＤに記述されている画像処理制御情報ＧＩを更新し（ステップＳ２４０）、本処理ルーチンを終了する。
【００６８】
画像処理制御情報ＧＩが変更されたか否かは、例えば、画像処理制御情報ＧＩのいずれかのパラメータの値が変更された場合に変更フラグを立て、かかる変更フラグに基づいて判断される。画像処理制御情報ＧＩの更新は、例えば、変更前の画像処理制御情報を変更後の画像処理制御情報によって上書きしても良く、あるいは適当な場合には、変更前の画像処理制御情報のパラメータ値と変更後の画像処理制御情報のパラメータ値との差分情報を書き加えるようにしても良い。
【００６９】
第２の実施例：
図８および図９を参照して第２の実施例に係るディジタルスチルカメラについて説明する。図８は第２の実施例における画像処理制御情報ＧＩの編集処理ルーチンを示すフローチャートである。図９は第２の実施例に係るディジタルスチルカメラ１０における画像処理制御情報ＧＩの編集イメージを示す説明図である。
【００７０】
第２の実施例に係るディジタルスチルカメラは、画像処理制御情報ＧＩの編集処理が第１の実施例に係るディジタルスチルカメラ１０の編集処理とは異なる点を除き、構成上は第１の実施例に係るディジタルスチルカメラ１０と同一の構成要素を備えるので、同一の符号を付すことで各構成要素の説明を省略する。
【００７１】
ＣＰＵ１６１は、ユーザの指示に従い、液晶ディスプレイ１９上に画像データＧＤのファイル名（データ名）、あるいは、画像データＧＤのプレビュー画像を表示させる。ユーザが選択・決定ボタン１８を介して画像処理制御情報ＧＩの編集を所望する画像データＧＤを選択すると、ＣＰＵ１６１は、ユーザにより選択された画像データをメモリカードＭＣからＲＡＭ１６３上へと読み出す（ステップＳ３００）。
【００７２】
ＣＰＵ１６１は、選択した画像データに関連付けられた画像処理制御情報ＧＩを取得し（ステップＳ３１０）、取得した画像処理制御情報ＧＩを液晶ディスプレイ１９上に表示する（ステップＳ３２０）。ＣＰＵ１６１は、画像処理回路１５を介して、取得した画像処理制御情報をＲＡＭ上に格納されている画像データＧＤに適用し、図９に示すように、画像処理後の画像データＧＤの表示画像と適用された画像処理制御情報ＧＩを液晶ディスプレイ１９上に表示する（ステップＳ３３０）。図９では、画像処理制御情報ＧＩとして撮影モードが表示されており、現在設定されている撮影モードは「夜景」である。画像処理制御情報ＧＩとして、図７に示す内容が液晶ディスプレイ１９上に表示されても良いことは言うまでもない。
【００７３】
ＣＰＵ１６１は、画像処理制御情報ＧＩが変更されたか否かを判定し（ステップＳ３４０）、画像処理制御情報ＧＩが変更されたと判定した場合には（ステップＳ３４０：Ｙｅｓ）、画像データＧＤ上の画像処理制御情報ＧＩを更新すると共に、更新された画像処理制御情報ＧＩを液晶ディスプレイ１９上に表示し、続いて、更新された画像処理制御情報ＧＩを適用した画像データＧＤを液晶ディスプレイ１９上に表示する（ステップＳ３２０）。画像処理制御情報ＧＩが変更されたか否かは、例えば、第１の実施例において説明した手法によって判定される。
【００７４】
ＣＰＵ１６１は、画像処理制御情報ＧＩが変更されていないと判定した場合には（ステップＳ３４０：Ｎｏ）、画像処理制御情報ＧＩの編集が終了するまて待機する（ステップＳ３６０：Ｎｏ）。画像処理制御情報ＧＩの編集が終了すると（ステップＳ３６０：Ｙｅｓ）、ＣＰＵ１６１は画像データＧＤの出力要求が発生したか否かを判定する（ステップＳ３７０）。ＣＰＵ１６１は、選択・決定ボタン１８を介してユーザから編集終了指示が入力されると画像処理制御情報ＧＩの編集は終了したと判定し、出力要求指示が入力されると画像データＧＤの出力要求が発生したと判定する。
【００７５】
ＣＰＵ１６１は、出力要求が発生していないと判定した場合には（ステップＳ３７０：Ｎｏ）、本処理ルーチンを終了する。ＣＰＵ１６１は、出力要求が発生していると判定した場合には（ステップＳ３７０：Ｙｅｓ）、画像処理回路１５を介して更新された画像処理制御情報ＧＩを画像データＧＤに適用し、プリンタ２０等に向けて出力し（ステップＳ３８０）、本処理ルーチンを終了する。
【００７６】
以上説明したように第２の実施例に係るディジタルスチルカメラ１０によれば、画像処理制御情報ＧＩが適用された（画像処理が施された）画像データＧＤを確認しつつ画像処理制御情報ＧＩを編集することができる。したがって、画像処理制御情報ＧＩのパラメータ値を適切な値へと変更することができる。
【００７７】
また、画像処理制御情報ＧＩを適用して画像処理を施した画像データＧＤを出力することができるので、画像処理制御情報ＧＩを解釈、利用することができないパーソナルコンピュータＰＣ、プリンタ２０等においても、画像処理制御情報ＧＩを適用した画像データの画像を出力することができる。
【００７８】
なお、画像処理制御情報ＧＩを適用した画像データＧＤの画像を液晶ディスプレイ１９上に表示する際には、例えば、間引きした画像データＧＤ、サムネイル画像データに対して画像処理制御情報ＧＩを適用した結果を表示しても良い。液晶ディスプレイ１９は、プリンタ（印刷時）の解像度よりも低い解像度であっても適切な画像を表示することができるので、表示画像の画質を適切なレベルに維持しつつ、画像処理に要求されるＣＰＵ１６１の負荷を軽減することができる。
【００７９】
また、ＣＰＵ１６１によって画像処理回路１５を介して実行される画像処理の際には、画像データを解析し、例えば、画質に関わるパラメータの統計値を取り、かかる統計値と予め各画質に関わるパラメータの基準値とを用いた自動画質調整処理を実行してもよい。また、自動画質調整処理に際しては、画像処理制御情報ＧＩが反映され得ることは言うまでもない。
【００８０】
・第３の実施例：
図１０〜図１２を参照して第３の実施例に係るディジタルスチルカメラについて説明する。図１０は第３の実施例における撮影条件の編集処理ルーチンを示すフローチャートである。図１１は第３の実施例に用いられ得る画像データのファイル構成を模式的に示す説明図である。図１２は第３の実施例における撮影時情報の編集時に表示される撮影時情報の表示イメージを示す説明図である。なお、本実施例中におけるファイルの構造、データの構造、格納領域といった用語は、ファイルまたはデータ等が記憶装置内に格納された状態におけるファイルまたはデータのイメージを意味するものである。
【００８１】
第３の実施例に係るディジタルスチルカメラは、画像処理制御情報ＧＩに代えて撮影条件を編集処理する点を除き、構成上は第１の実施例に係るディジタルスチルカメラ１０と同一の構成要素を備えるので、同一の符号を付すことで各構成要素の説明を省略する。
【００８２】
先ず、第３の実施例において用いられる画像データＧＤ１の構造について説明する。画像データＧＤ１は、ＪＰＥＧ画像データ、ＪＰＥＧ画像データに対する付属情報を格納するアプリケーション・マーカセグメントＡＰＰを備えている。アプリケーション・マーカセグメントＡＰＰ（ＩＦＤ）では、各情報を特定するためにタグが用いられており、各情報はタグ名によって呼ばれることがある。図１１に示すアプリケーション・マーカセグメントＡＰＰには、撮影条件を記述する撮影時情報ＳＩ（Ｅｘｉｆ情報）を格納するタグ（領域）、サムネイル画像データが含まれている。
【００８３】
撮影時情報ＳＩには、図１２に示す撮影時における撮影条件が記述されている。これら撮影時情報は、露出プログラム、撮影シーンタイプといったユーザによって設定される撮影条件、シャッター速度、露出時間といったオート撮影時にはディジタルスチルカメラ１０において設定される撮影条件の双方が含まれる。
【００８４】
次に、ディジタルスチルカメラ１０において実行される撮影時情報編集処理について説明する。ユーザの指示に従い、ＣＰＵ１６１は、液晶ディスプレイ１９上に画像データＧＤ１のファイル名（データ名）、あるいは、画像データＧＤ１のプレビュー画像を表示させる。ユーザが選択・決定ボタン１８を介して撮影時情報ＳＩの編集を所望する画像データＧＤ１を選択すると、ＣＰＵ１６１は、ユーザにより選択された画像データをメモリカードＭＣから選択する（ステップＳ４００）。
【００８５】
ＣＰＵ１６１は、選択した画像データに関連付けられた撮影時情報ＳＩを、液晶ディスプレイ１９上に表示する（ステップＳ４１０）。例えば、撮影時情報ＳＩとして設定された撮影シーンが「夜景」に設定され、撮影シーンが「標準」に戻されることなく翌日昼間に撮影が行われることがある。従来であれば、撮影後、撮影シーンが適切でないことにユーザが気付いたとしても、ユーザは撮影シーンを編集（変更）することはできなかった。この結果、パーソナルコンピュータＰＣ、プリンタ２０等における画像処理が適切に行われない場合があった。
【００８６】
第３の実施例に係るディジタルスチルカメラ１０によれば、撮影後、撮影シーンが適切でないことにユーザが気付いた場合には、ユーザは撮影シーンを編集（変更）することが可能となり、この結果、パーソナルコンピュータＰＣ、プリンタ２０等において、適切な撮影シーンに基づいた画像処理が実行され得る。
【００８７】
ＣＰＵ１６１は撮影時情報ＳＩの編集が終了するまて待機し（ステップＳ４２０：Ｎｏ）、撮影時情報ＳＩの編集が終了すると（ステップＳ４２０：Ｙｅｓ）、撮影時情報ＳＩが変更されたか否かを判定する（ステップＳ４３０）。ＣＰＵ１６１は、選択・決定ボタン１８を介してユーザから編集終了指示が入力されると撮影時情報ＳＩの編集は終了したと判定する。
【００８８】
ＣＰＵ１６１は、撮影時情報ＳＩが変更されていないと判定した場合には（ステップＳ４３０：Ｎｏ）、本処理ルーチンを終了する。ＣＰＵ１６１は、撮影時情報ＳＩが変更されたと判定した場合には（ステップＳ４３０：Ｙｅｓ）、画像データＧＤ１に記述されている撮影時情報を更新し（ステップＳ４４０）、本処理ルーチンを終了する。撮影時情報ＳＩの更新は、例えば、変更前の撮影時情報を変更後の撮影時情報によって上書きしても良く、あるいは適当な場合には、変更前の撮影時情報のパラメータ値と変更後の撮影時情報のパラメータ値との差分情報を書き加えるようにしても良い。
【００８９】
第４の実施例：
図１３を参照して第４の実施例について説明する。図１３は第４の実施例における画像処理制御情報の編集処理の処理ルーチンを示すフローチャートである。上記の第１および第２の実施例では、撮影後、ユーザによって選択された画像データＧＤに関連づけられた画像処理制御情報ＧＩを編集する点を特徴としたが、第４の実施例では、画像データＧＤと関わりなく予めＲＯＭ１６２に格納されている画像処理制御情報ＧＩを編集する点を特徴とする。
【００９０】
本実施例では、画像処理制御情報ＧＩとして既述の撮影モードを用いて説明する。ＣＰＵ１６１は、ユーザの指示に従い、液晶ディスプレイ１９上に画像処理制御情報ＧＩ（撮影モード）を表示させる。ユーザが選択・決定ボタン１８を介して編集を所望する画像処理制御情報ＧＩを選択すると、ＣＰＵ１６１は、ユーザにより選択された画像処理制御情報ＧＩとしての撮影モードを選択し、取得する（ステップＳ５００）。続いて、ＣＰＵ１６１は、ユーザにより選択され、取得した画像処理制御情報ＧＩとしての撮影モードを構成する各パラメータの値を液晶ディスプレイ１９上に表示する（ステップＳ５１０）。
【００９１】
ＣＰＵ１６１は、ＣＰＵ１６１は、画像処理制御情報ＧＩの編集が終了するまで待機し（ステップＳ５２０：Ｎｏ）、画像処理制御情報ＧＩの編集が終了すると（ステップＳ５２０：Ｙｅｓ）、画像処理制御情報ＧＩが変更されたか否かを判定する（ステップＳ３４０）。ＣＰＵ１６１による画像処理制御情報ＧＩの編集の判定手法、画像処理制御情報ＧＩの変更の有無の判定手法は第および第２実施例において説明済みであるから説明を省略する。
【００９２】
ＣＰＵ１６１は、画像処理制御情報ＧＩが変更されたと判定した場合には（ステップＳ５３０：Ｙｅｓ）、画像データＧＤ上の画像処理制御情報ＧＩを更新して（ステップＳ５４０）、本処理ルーチンを終了する。
【００９３】
ＣＰＵ１６１は、画像処理制御情報ＧＩが変更されていないと判定した場合には（ステップＳ５４０：Ｎｏ）、画像処理制御情報ＧＩを更新することなく本処理ルーチンを終了する。出力要求指示が入力されると画像データＧＤの出力要求が発生したと判定する。
【００９４】
以上説明したように第４の実施例に係るディジタルスチルカメラ１０によれば、画像データＧＤとは無関係にＲＯＭ１６２に格納されている画像処理制御情報ＧＩを変更（編集）することができる。したがって、画像処理制御情報ＧＩ、特に撮影モードを構成するパラメータの値をユーザの好みに合わせて予め変更しておくことができる。この結果、画像処理制御情報ＧＩを画像データＧＤ単位にてその都度変更することなく、一括して変更された画像処理制御情報ＧＩを画像データに記述する（関連づける）ことができる。
【００９５】
・その他の実施例：
上記各実施例では、画像処理制御情報ＧＩは、画像データＧＤのヘッダ部に記述され１つの画像ファイルを構成しているが、画像データＧＤとは別データ（別ファイル）としてメモリカードＭＣに格納されても良い。また、画像データＧＤと画像処理制御情報ＧＩとは、少なくとも画像処理の時点において、画像データＧＤに対して画像処理制御情報ＧＩを適用することができればよく、画像処理時までの関連付けの態様は問わない。
【００９６】
上記実施例では、撮像装置としてディジタルスチルカメラ１０を用いて説明したが、この他にもスキャナ、ディジタルビデオカメラ等が用いられ得る。また、出力装置としては、プリンタの他、液晶ディスプレイ、ＣＲＴディスプレイ、プロジェクタ等が用いられ得る。
【００９７】
上記実施例における画像データＧＤと画像処理制御情報ＧＩには、ＣＤ−ＲＯＭ、ＣＤ−Ｒ、ＤＶＤ−ＲＯＭ、ＤＶＤ−ＲＡＭ等の光ディスクメディアに格納されている動画像データと動画像データの画像処理条件を指定する画像処理制御情報ＧＩも含まれる。動画像データ（ファイル）が用いられる場合には、動画の全部または一部のフレームに対して画像処理制御情報に応じた画像処理制御が実行される。
【００９８】
以上、実施例に基づき本発明に係る画像生成装置、画像生成を説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【符号の説明】
【００９９】
１０…ディジタルスチルカメラ
１１…光学回路
１２…画像取得回路
１３…画質補正回路
１４…圧縮回路
１５…画像取得回路
１６…制御回路
１６１…中央処理装置（ＣＰＵ）
１６２…リードオンリメモリ（ＲＯＭ）
１６３…ランダムアクセスメモリ（ＲＡＭ）
１７…バス
１８…選択・決定ボタン
１９…液晶ディスプレイ
２０…カラープリンタ
３０…表示ディスプレイ
ＰＣ…パーソナルコンピュータ
ＧＤ…画像データ（画像処理制御情報ファイル）
ＧＤ１…画像データ（撮影時情報ＳＩ（Exif）ファイル）
ＣＶ…接続ケーブル
ＭＣ…メモリカード
【図１】
2014039337.tif 000003
【図２】
2014039337.tif 000004
【図３】
2014039337.tif 000005
【図４】
2014039337.tif 000006
【図５】
2014039337.tif 000007
【図６】
2014039337.tif 000008
【図７】
2014039337.tif 000009
【図８】
2014039337.tif 000010
【図９】
2014039337.tif 000011
【図１０】
2014039337.tif 000012
【図１１】
2014039337.tif 000013
【図１２】
2014039337.tif 000014
【図１３】
2014039337.tif 000015
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
ＲＡＷデータを生成する撮像装置であって、
撮影モードに対応付けられたパラメータセットを格納する格納手段と、
前記ＲＡＷデータを前記パラメータセットと関連付ける関連付手段と、
前記格納手段に格納されている前記パラメータセットを前記ＲＡＷデータと関わりなく変更するパラメータセット変更手段であって、複数の撮影モードを表示画面に表示し、表示されている複数の前記撮影モードの中から変更が希望された撮影モードに対応するパラメータセットに含まれる複数のパラメータ値を表示し、前記複数のパラメータ値のいずれかの値が変更された場合には前記格納手段に格納されている前記パラメータセットを変更する、パラメータセット変更手段と、
を備える、撮像装置。
【請求項２】
前記パラメータセットは、カラーバランスに関するパラメータ値を含む、請求項１に記載の撮像装置。
【請求項３】
前記パラメータセットは、コントラストに関するパラメータ値を含む、請求項１または請求項２に記載の撮像装置。
【請求項４】
前記パラメータセットは、彩度に関するパラメータ値を含む、請求項１から請求項３のいずれかに記載の撮像装置。
【請求項５】
前記変更されたパラメータセットに基づいて画像処理された撮像データに基づく画像を表示する、請求項１から請求項４のいずれかに記載の撮像装置。
【請求項６】
請求項１から請求項５のいずれかに記載の撮像装置と、
画像処理装置と、
を備える画像処理システム。
【請求項７】
前記画像処理装置は、前記撮像データを、前記変更されたパラメータセットに基づいて画像処理する、請求項６に記載の画像処理システム。
【請求項８】
撮影モードに応じた画像処理条件を指定するパラメータセットを関連付けたＲＡＷデータを出力する方法であって、
格納手段に格納されている前記パラメータセットを前記ＲＡＷデータと関わりなく変更することであって、前記格納手段から取得した複数の撮影モードを表示画面に表示し、表示されている複数の前記撮影モードの中から変更が希望された撮影モードに対応するパラメータセット係る複数のパラメータ値を表示し、前記複数のパラメータ値のいずれかの値が変更された場合には前記格納手段に格納されている前記パラメータセットを変更し、
撮像により生成された前記ＲＡＷデータと前記変更されたパラメータセットとを関連付けて出力する方法。
【請求項９】
前記パラメータセットは、カラーバランスに関するパラメータ値を含む、請求項８に記載の方法。
【請求項１０】
前記パラメータセットは、コントラストに関するパラメータ値を含む、請求項８または請求項９に記載の方法。
【請求項１１】
前記変更されたパラメータセットに基づいて画像処理された撮像データを前記撮像装置によって表示する、請求項８から請求項１０のいずれかに記載の方法。